(57)【要約】【課題】  不正な複製を防止可能なホログラム記録媒体及びその製造方法を提供すること。【解決手段】  物体光と参照光５の干渉によって記録層２にホログラム３を形成し情報を書き込んだホログラム記録媒体１において、記録層２には情報を有するホログラム３と複製判別ホログラム４とが形成され、ホログラム３はビームウエスト１６ａを所定高さに有するホログラム２３からの第１再生光１６により形成され、複製判別ホログラム４は第１再生光１６と異なる高さにビームウエスト１７ａを有する複製判別ホログラム２４からの第２再生光１７により形成されてなる。【選択図】  図２
2006106432.tif 000002
【特許請求の範囲】
【請求項１】
物体光と参照光の干渉によって記録層にホログラムを形成し情報を書き込んだホログラム記録媒体において、
上記記録層には情報を有するホログラムと複製判別ホログラムとが形成され、上記ホログラムはビームウエストを所定高さに有する第１物体光により形成され、上記複製判別ホログラムは上記第１物体光と異なる高さにビームウエストを有する第２物体光により形成されてなることを特徴とするホログラム記録媒体。
【請求項２】
物体光と参照光の干渉によって記録層にホログラムを形成し情報を書き込んだホログラム記録媒体において、
上記記録層には情報を有するホログラムと複製判別ホログラムとが形成され、上記ホログラムは所定の屈折率を有する第１媒質を通過した第１物体光により形成され、上記複製判別ホログラムは上記第１物体光と異なる屈折率を有する第２媒質を通過した第２物体光により形成されてなることを特徴とするホログラム記録媒体。
【請求項３】
物体光と参照光の干渉によってホログラムが形成され情報が書き込まれた記録層を有するホログラム記録媒体において、
上記記録層には情報を有するホログラムと複製判別ホログラムとが形成され、該ホログラムと複製判別ホログラムは上記参照光の入射によりそれぞれ再生光を発生すると共に、該再生光の出射角度が互いに異なることを特徴とするホログラム記録媒体。
【請求項４】
上記ホログラムは所定角度を有して上記記録層に入射する第１物体光により形成され、上記複製判別ホログラムは上記第１物体光と異なる角度を有して上記記録層に入射する第２物体光により形成されてなることを特徴とする請求項３記載のホログラム記録媒体。
【請求項５】
上記複製判別ホログラムは第２物体光を上記記録層の端部より外側から入射させることにより形成されることを特徴とする請求項４記載のホログラム記録媒体。
【請求項６】
上記複製判別ホログラムは上記第２物体光を複数入射させることにより多重形成されてなることを特徴とする請求項４記載のホログラム記録媒体。
【請求項７】
物体光と参照光の干渉によって記録層にホログラムを形成し情報を書き込んだホログラム記録媒体の製造方法であって、
マスターホログラム記録媒体の記録層に、ビームウエストを所定高さに有する第１物体光により形成される情報を有したホログラムと、上記第１物体光と異なる高さにビームウエストを有する第２物体光により形成される複製判別ホログラムとを形成する過程と、
ホログラム記録媒体を上記マスターホログラム記録媒体と所定の間隔を空けて対向させた状態に保持する過程と、
対向させた上記マスターホログラム記録媒体と上記ホログラム記録媒体とに複製用参照光を照射し、上記マスターホログラム記録媒体の記録層に形成された上記ホログラムおよび上記複製判別ホログラムからの再生光と、上記複製用参照光との干渉光により上記ホログラム記録媒体の記録層に上記ホログラムおよび上記複製判別ホログラムをそれぞれ複製する過程と、
を有することを特徴とするホログラム記録媒体の製造方法。
【請求項８】
物体光と参照光の干渉によって記録層にホログラムを形成し情報を書き込んだホログラム記録媒体の製造方法であって、
マスターホログラム記録媒体の記録層に、情報を有したホログラムと複製判別ホログラムとを形成する過程と、
ホログラム記録媒体を上記マスターホログラム記録媒体と所定の間隔を空けて対向させた状態に保持する過程と、
対向させた上記マスターホログラム記録媒体と上記ホログラム記録媒体とに複製用参照光を照射し、上記マスターホログラム記録媒体の記録層に形成された上記ホログラムからの再生光は所定の屈折率を有する第１媒質を通過させると共に、上記複製判別ホログラムからの再生光は上記第１媒質と異なる屈折率を有する第２媒質を通過させ、上記第１媒質又は第２媒質を通過した各再生光と、上記複製用参照光との干渉により上記ホログラム記録媒体の記録層に上記ホログラムおよび上記複製判別ホログラムをそれぞれ複製する過程
と、
を有することを特徴とするホログラム記録媒体の製造方法。
【請求項９】
物体光と参照光の干渉によって記録層にホログラムを形成し情報を書き込んだホログラム記録媒体の製造方法であって、
マスターホログラム記録媒体の記録層に、所定角度を有して上記記録層に入射する第１物体光により形成される情報を有したホログラムを形成する過程と、
上記マスターホログラム記録媒体の記録層に、上記第１物体光と異なる角度を有して上記記録層に入射する第２物体光により形成される複製判別ホログラムとを形成する過程と、
ホログラム記録媒体を上記マスターホログラム記録媒体と所定の間隔を空けて対向させた状態に保持する過程と、
対向させた上記マスターホログラム記録媒体と上記ホログラム記録媒体とに複製用参照光を照射し、上記マスターホログラム記録媒体の記録層に形成された上記ホログラムおよび上記複製判別ホログラムからの再生光と、上記複製用参照光との干渉光により上記ホログラム記録媒体の記録層に上記ホログラムおよび上記複製判別ホログラムをそれぞれ複製する過程と、
を有することを特徴とするホログラム記録媒体の製造方法。
【請求項１０】
上記マスターホログラム記録媒体の複製判別ホログラムを上記ホログラム記録媒体の記録層の端部より外側に形成することを特徴とする請求項９記載のホログラム記録媒体の製造方法。
【請求項１１】
上記マスターホログラム記録媒体の複製判別ホログラムを上記再生光がそれぞれ同じ位置に集光するように複数形成することを特徴とする請求項９記載のホログラム記録媒体の製造方法。
【発明の詳細な説明】
【技術分野】
【０００１】
本発明は、物体光と参照光との干渉によりホログラムとして情報が記録されたホログラム記録媒体およびその製造方法に関し、特に不正な複製の判別に用いられる複製判別ホログラムが形成されたホログラム記録媒体およびその製造方法に関する。
【背景技術】
【０００２】
従来からコンピュータ等に用いられる記憶装置としては、磁気や光によって情報を記録媒体に対して２次元的に書込み、読込みを行うものが広く用いられている。磁気を用いた記録媒体としては、ハードディスクなどが知られており、光を用いた記憶装置としては、ＣＤやＤＶＤなどが知られている。これら記憶装置は、大容量化の要求に応えるため、これまでに記録密度に関して著しい進歩を果たしてきたものである。そして、さらなる大容量化のための手段として、ホログラムの原理を用いた記憶装置の開発が進められている。
【０００３】
ホログラム装置は、記録媒体に情報をページ単位でホログラムとして記録された情報を読込んで再生するものである。記録媒体には符号化されたページ単位の情報が屈折率変化等のパターンとして書き込まれている。このパターンは、記憶装置において物体光と参照光の干渉により形成されたホログラムであり、情報を記録媒体から読み出すには、発光部より参照光のみを記録媒体に入射させ、ホログラムのパターンで回折させてＣＣＤやＣＭＯＳ等の光電変換素子からなる受光部によって受光することにより、書き込まれた情報を再生することができる。このようなホログラム装置は、例えば特許文献１に記載されているものがある。
【特許文献１】特開２００３−４３９０４号公報
【０００４】
また、ホログラムが形成されたホログラム記録媒体を複製するには以下のような方法が知られている。図１９は複製されるホログラム記録媒体５１の形成について示した図、図２０はマスターとなるホログラム記録媒体５１の複製について示した図である。ホログラム記録媒体５１の記録層５２に形成されているホログラム５３は、複製用ホログラム記録媒体６１の複製記録層６２に同じものが形成される。
【０００５】
ホログラム記録媒体５１の記録層５２には、図１９に示すようにビームウエスト５６ａを所定高さに有する物体光５６と発光部７０からの参照光５５との干渉によりホログラム５３が複数形成される。記録層５２に形成された各ホログラム５３、５３は、図２０に示すように参照光６５を入射させると、ホログラム５３を形成した物体光５６に対応する再生光６６をそれぞれ発生する。この再生光６６はビームウエスト６６ａに収束し、それから発散光束となる。
【０００６】
図２０に示すように、発光部７０はレンズ７２を有し、発光部７０からの参照光６５はレンズ７２によりホログラム記録媒体５１及び複製用ホログラム記録媒体６１の略全体に入射可能とされる。参照光６５が入射した各ホログラム５３、５３からの再生光６６は、ホログラム記録媒体５１を透過した参照光６５と複製記録層６２で干渉し、記録層５２に形成されているホログラム５３と同じホログラム６３が複製記録層６２に形成される。複製用のホログラム記録媒体６１は、再生光６６のビームウエスト６６ａの位置を中心としてホログラム記録媒体５１と対称な位置に配置されるので、複製記録層６２における再生光６６の断面径は記録層５２に形成されているホログラム５３の径と同じになる。すなわち、複製記録層６２には記録層５２のホログラム５３と同じホログラム６３が形成される。
【０００７】
また、上述の複製方法は、図２１に示すように、ビームウエスト６６ａを所定高さに有する物体光５６をホログラム記録媒体５１の下側から入射させて形成された反射型のホログラムに対しても適用することができる。図２２に、物体光５６を参照光６５と対向する方向から入射させてホログラム５３を形成した場合のホログラム記録媒体５１の複製について示す。
【０００８】
図２２に示すように、ホログラム記録媒体５１の記録層５２には物体光５６を下側から入射させてホログラム５３が複数形成されているため、各ホログラム５３、５３に参照光６５を入射させるとホログラム５３を形成した物体光５６に対応する再生光６６は上向きに発生する。したがって、この再生光６６のビームウエスト６６ａの位置を中心としてホログラム記録媒体５１と対称な位置、すなわちホログラム記録媒体５１の上側に複製用のホログラム記録媒体６１を配置すると、複製記録層６２における再生光６６の断面径は記録層５２に形成されているホログラム５３の径と同じになる。すなわち、複製記録層６２に記録層５２に形成されているホログラム５３と同じホログラム６３を形成することができる。
【発明の開示】
【発明が解決しようとする課題】
【０００９】
上述の複製方法は簡易であるため大量生産に適し、製造コストを低減できるが、不正に複製された場合に正規品と区別がつかず、これを防止する有効な手段がないという問題点を有している。
【００１０】
本発明は、上記課題を鑑みてなされたものであり、不正な複製を防止可能なホログラム記録媒体およびその製造方法を提供することを目的とする。
【課題を解決するための手段】
【００１１】
上記課題を解決するため、本発明に係るホログラム記録媒体は、物体光と参照光の干渉によって記録層にホログラムを形成し情報を書き込んだホログラム記録媒体において、
上記記録層には情報を有するホログラムと複製判別ホログラムとが形成され、上記ホログラムはビームウエストを所定高さに有する第１物体光により形成され、上記複製判別ホログラムは上記第１物体光と異なる高さにビームウエストを有する第２物体光により形成されてなることを特徴として構成されている。
【００１２】
また、本発明に係るホログラム記録媒体は、物体光と参照光の干渉によって記録層にホログラムを形成し情報を書き込んだホログラム記録媒体において、
上記記録層には情報を有するホログラムと複製判別ホログラムとが形成され、上記ホログラムは所定の屈折率を有する第１媒質を通過した第１物体光により形成され、上記複製判別ホログラムは上記第１物体光と異なる屈折率を有する第２媒質を通過した第２物体光により形成されてなることを特徴として構成されている。
【００１３】
さらに、本発明に係るホログラム記録媒体は、物体光と参照光の干渉によってホログラムが形成され情報が書き込まれた記録層を有するホログラム記録媒体において、
上記記録層には情報を有するホログラムと複製判別ホログラムとが形成され、該ホログラムと複製判別ホログラムは上記参照光の入射によりそれぞれ再生光を発生すると共に、該再生光の出射角度が互いに異なることを特徴として構成されている。
【００１４】
さらにまた、本発明に係るホログラム記録媒体は、上記ホログラムは所定角度を有して上記記録層に入射する第１物体光により形成され、上記複製判別ホログラムは上記第１物体光と異なる角度を有して上記記録層に入射する第２物体光により形成されてなることを特徴として構成されている。
【００１５】
そして、本発明に係るホログラム記録媒体は、上記複製判別ホログラムは第２物体光を上記記録層の端部より外側から入射させることにより形成されることを特徴として構成されている。
【００１６】
また、本発明に係るホログラム記録媒体は、上記複製判別ホログラムは上記第２物体光を複数入射させることにより多重形成されてなることを特徴として構成されている。
【００１７】
さらに、本発明に係るホログラム記録媒体の製造方法は、物体光と参照光の干渉によって記録層にホログラムを形成し情報を書き込んだホログラム記録媒体の製造方法であって、
マスターホログラム記録媒体の記録層に、ビームウエストを所定高さに有する第１物体光により形成される情報を有したホログラムと、上記第１物体光と異なる高さにビームウエストを有する第２物体光により形成される複製判別ホログラムとを形成する過程と、
上記ホログラム記録媒体を上記マスターホログラム記録媒体と所定の間隔を空けて対向させた状態に保持する過程と、
対向させた上記マスターホログラム記録媒体と上記ホログラム記録媒体とに複製用参照光を照射し、上記マスターホログラム記録媒体の記録層に形成された上記ホログラムおよび上記複製判別ホログラムからの再生光と、上記複製用参照光との干渉光により上記ホログラム記録媒体の記録層に上記ホログラムおよび上記複製判別ホログラムをそれぞれ複製する過程と、
を有することを特徴として構成されている。
【００１８】
さらにまた、本発明に係るホログラム記録媒体の製造方法は、物体光と参照光の干渉によって記録層にホログラムを形成し情報を書き込んだホログラム記録媒体の製造方法であって、
マスターホログラム記録媒体の記録層に、情報を有したホログラムと複製判別ホログラムとを形成する過程と、
ホログラム記録媒体を上記マスターホログラム記録媒体と所定の間隔を空けて対向させた状態に保持する過程と、
対向させた上記マスターホログラム記録媒体と上記ホログラム記録媒体とに複製用参照光を照射し、上記マスターホログラム記録媒体の記録層に形成された上記ホログラムからの再生光は所定の屈折率を有する第１媒質を通過させると共に、上記複製判別ホログラムからの再生光は上記第１媒質と異なる屈折率を有する第２媒質を通過させ、上記第１媒質又は第２媒質を通過した各再生光と、上記複製用参照光との干渉により上記ホログラム記録媒体の記録層に上記ホログラムおよび上記複製判別ホログラムをそれぞれ複製する過程
と、
を有することを特徴として構成されている。
【００１９】
そして、本発明に係るホログラム記録媒体の製造方法は、物体光と参照光の干渉によって記録層にホログラムを形成し情報を書き込んだホログラム記録媒体の製造方法であって、
マスターホログラム記録媒体の記録層に、所定角度を有して上記記録層に入射する第１物体光により形成される情報を有したホログラムを形成する過程と、
上記マスターホログラム記録媒体の記録層に、上記第１物体光と異なる角度を有して上記記録層に入射する第２物体光により形成される複製判別ホログラムとを形成する過程と、
ホログラム記録媒体を上記マスターホログラム記録媒体と所定の間隔を空けて対向させた状態に保持する過程と、
対向させた上記マスターホログラム記録媒体と上記ホログラム記録媒体とに複製用参照光を照射し、上記マスターホログラム記録媒体の記録層に形成された上記ホログラムおよび上記複製判別ホログラムからの再生光と、上記複製用参照光との干渉光により上記ホログラム記録媒体の記録層に上記ホログラムおよび上記複製判別ホログラムをそれぞれ複製する過程と、
を有することを特徴として構成されている。
【００２０】
また、本発明に係るホログラム記録媒体の製造方法は、上記マスターホログラム記録媒体の複製判別ホログラムを上記ホログラム記録媒体の記録層の端部より外側に形成することを特徴として構成されている。
【００２１】
さらに、本発明に係るホログラム記録媒体の製造方法は、上記マスターホログラム記録媒体の複製判別ホログラムを上記再生光がそれぞれ同じ位置に集光するように複数形成することを特徴として構成されている。
【発明の効果】
【００２２】
本発明に係るホログラム記録媒体によれば、記録層のホログラムはビームウエストを所定高さに有する第１物体光により形成され、複製判別ホログラムは第１物体光と異なる高さにビームウエストを有する第２物体光により形成されてなることにより、複製毎に異なる大きさで複製判別ホログラムが形成されることになるので、複製判別ホログラムの大きさを調べることによって不正な複製か否かを判別することができる。
【００２３】
また、本発明に係るホログラム記録媒体によれば、記録層のホログラムは所定の屈折率を有する第１媒質を通過した第１物体光により形成され、複製判別ホログラムは第１物体光と異なる屈折率を有する第２媒質を通過した第２物体光により形成されてなることにより、第２媒質を有しない通常の複製装置では複製判別ホログラムが異なる大きさで形成されるので、この場合も複製判別ホログラムの大きさを調べることによって不正な複製か否かを判別することができる。
【００２４】
さらに、本発明に係るホログラム記録媒体によれば、記録層のホログラムと複製判別ホログラムは再生光の出射角度が互いに異なることにより、複製記録層には複製判別ホログラムが記録層に形成された位置と異なる位置に形成されるので、複製判別ホログラムの位置を調べることによって不正な複製か否かを判別することができる。
【００２５】
さらにまた、本発明に係るホログラム記録媒体によれば、ホログラムは所定角度の第１物体光により形成され、複製判別ホログラムは第１物体光と異なる角度の第２物体光により形成されることにより、ホログラムからの再生光と複製判別ホログラムからの再生光は、出射角度が互いに異なり、複製の際に複製判別ホログラムを異なる位置に形成することができる。
【００２６】
そして、本発明に係るホログラム記録媒体によれば、複製判別ホログラムは第２物体光を記録層の端部より外側から入射させることにより形成することにより、複製判別ホログラムからの再生光は複製記録層の端部より外側を通過し、複製記録層には複製判別ホログラムが形成されないため、複製判別ホログラムの有無を調べることによって不正な複製かどうかを判別することができる。
【００２７】
また、本発明に係るホログラム記録媒体によれば、複製判別ホログラムは第２物体光を複数入射させることにより多重形成されてなることにより、複製判別ホログラムからの再生光が複数発生し、ホログラムが複製された複製記録層には複製判別ホログラムが複数形成されるため、複製判別ホログラムの数を調べることによって不正な複製かどうかを判別することができる。また、複製判別ホログラムから発生する各再生光は情報を有するホログラムからの再生光より強度が低下するため、更に複製を行うことで複製判別ホログラムの配置が同じとなった場合でも回折強度が低下し、ホログラムと複製判別ホログラムの回折強度比を調べることによって不正な複製を判別することができる。
【００２８】
さらに、本発明に係るホログラム記録媒体の製造方法によれば、マスター記録媒体に情報を有したホログラムと複製判別ホログラムとを形成し、マスターホログラム記録媒体とホログラム記録媒体に複製用参照光を照射し、ホログラム記録媒体の記録層にホログラムおよび複製判別ホログラムをそれぞれ複製することにより、マスターホログラム記録媒体から不正な複製を防止可能なホログラム記録媒体を大量生産できるため、製造コストを低減できる。
【発明を実施するための最良の形態】
【００２９】
本発明の実施形態について説明する。本実施形態におけるホログラム記録媒体１はマスターホログラム記録媒体２１を複製してなるもので、記録層２に情報を有するホログラム３と複製判別ホログラム４とが形成される。図１にマスターホログラム記録媒体２１の形成について示し、図２に本実施形態におけるホログラム記録媒体１の形成について示す。
【００３０】
本実施形態におけるホログラム記録媒体１は、フォトリフラクティブ材料またはフォトポリマー材料からなり、符号化されたページ単位の情報を有するマスターホログラム記録媒体２１からの第１再生光１６を参照光５と干渉させ、この干渉縞をホログラム３として記録層２に形成することで情報を書き込む。また、ホログラム３を形成するのに用いた参照光５をホログラム３に入射させることによって、ホログラム３は第１再生光６を発生する。この第１再生光６をＣＣＤやＣＭＯＳ等の光電変換素子で受光することによって、情報を読み出すことができる。
【００３１】
本実施形態におけるホログラム記録媒体１は、マスターホログラム記録媒体２１を複製することにより大量生産され、正規品として市販される。ここで、マスターホログラム記録媒体２１の形成について説明する。図1に示すようにマスターホログラム記録媒体２１のマスター記録層２２には、情報を有するホログラム２３と複製判別ホログラム２４が形成される。
【００３２】
情報を有するホログラム２３は、図１に示すようにビームウエスト２６ａをマスター記録層２２より下方位置に有する第１物体光２６と、発光部３０から発光されレンズ３１により平行光とされた参照光２５により形成される。また、複製判別ホログラム２４は、第１物体光２６と異なる高さとなるマスター記録層２２内にビームウエスト２７ａを有する第２物体光２７と、情報を有するホログラム２３の形成に用いた参照光２５により形成される。
【００３３】
第１物体光２６と第２物体光２７は、ビームウエストの高さが互いに異なるため、マスター記録層２２における第１物体光２６と第２物体光２７のビーム径は互いに異なり、情報を有するホログラム２３と複製判別ホログラム２４は互いに異なる大きさで形成される。また、図２に示すように、情報を有するホログラム２３及び複製判別ホログラム２４は、形成に用いた参照光２５と同じ波長で同じ角度の参照光５を入射させることによって第１再生光１６及び第２再生光１７をそれぞれ発生する。
【００３４】
本実施形態におけるホログラム記録媒体１はマスターホログラム記録媒体２１を複製して形成される。マスターホログラム記録媒体２１とホログラム記録媒体１は、図２に示すように情報を有するホログラム２３からの第１再生光１６のビームウエスト１６ａの位置を中心として対称位置となるように配置される。本実施形態では、マスターホログラム記録媒体２１とホログラム記録媒体１の間にスペーサ３３を配置して位置決めしている。
【００３５】
また、複製に用いる装置として情報を有するホログラム２３及び複製判別ホログラム２４を形成した参照光２５と同じ波長で同じ角度の参照光５を発光する発光部３０を用い、発光部３０からの参照光５をレンズ３２により平行光とし、マスターホログラム記録媒体２１及びホログラム記録媒体１の略全体に入射させる。
【００３６】
マスター記録層２２に形成されている情報を有するホログラム２３は、形成に用いた参照光２５と同じ波長で同じ角度の参照光５を入射させることにより第１再生光１６を発生する。第１再生光１６は、マスター記録層２２と記録層２の中間位置にビームウエスト１６ａを有する。また、第１再生光１６はビームウエスト１６ａに収束して、それから発散光束となり、マスターホログラム記録媒体２１を透過した参照光５とホログラム記録媒体１の記録層２において干渉する。
【００３７】
第１再生光１６のビームウエスト１６ａは、マスターホログラム記録媒体２１とホログラム記録媒体１の中間に位置するため、記録層２における第１再生光１６の断面径がマスター記録層２２に形成されているホログラム２３の径と同じとなり、記録層２に同じ大きさのホログラム３を形成することができる。
【００３８】
発光部３０からの参照光５はマスター記録層２２に形成されている複製判別ホログラム２４にも入射し、複製判別ホログラム２４は第２再生光１７を発生する。情報を有するホログラム２３の場合と同様、発生した第２再生光１７はマスターホログラム記録媒体２１を透過した参照光５とホログラム記録媒体１の記録層２で干渉する。
【００３９】
第２再生光１７は第１再生光１６と異なる高さにビームウエスト１７ａを有するため、記録層２における第２再生光１７の断面径はマスター記録層２２に形成されている複製判別ホログラム２４の径と異なり、記録層２には複製判別ホログラム４がマスター記録層２２に形成された大きさと異なる大きさで形成される。
【００４０】
図３に示すように、本実施形態におけるホログラム記録媒体１をさらに複製し複製ホログラム記録媒体１１を形成した場合、複製判別ホログラム４から発生する第２再生光７は、第１再生光６と異なる高さにビームウエスト７ａを有するため、複製ホログラム記録媒体１１の複製記録層１２には、複製判別ホログラム１４が記録層２に形成された大きさと異なる大きさで形成される。
【００４１】
したがって、複製物の記録層２に形成されている複製判別ホログラム４の大きさを調べることによって、不正な複製かどうかを容易に判別することができ、ホログラム記録媒体１の不正複製を防止することができる。
【００４２】
複製されたホログラム記録媒体１は、もう一度複製することによって、元のホログラム記録媒体１と同一のホログラム記録媒体１が形成されるため、複製判別ホログラム４の大きさは同一となる。しかし、記録層２に形成される複製判別ホログラム４は、複製を行う度に回折効率が低下するため、形成されたホログラム４における回折強度が複製を繰り返す毎に低下する。回折強度の低下により品質は低下しホログラム４の読み出しが困難となるため、複製を複数回行った場合に生じる問題は解消される。
【００４３】
次に第２の実施形態について説明する。本実施形態におけるホログラム記録媒体１は第１の実施形態同様、マスターホログラム記録媒体２１により複製されてなる。図４にマスターホログラム記録媒体２１の形成について示し、図５に本実施形態におけるホログラム記録媒体１の形成について示す。
【００４４】
マスターホログラム記録媒体２１のマスター記録層２２には、第１の実施形態同様、情報を有するホログラム２３と複製判別ホログラム２４が形成される。ここで、図４に示すように情報を有するホログラム３を形成する第１物体光２６と、複製判別ホログラム２４を形成する第２物体光２７は、それぞれ同じ高さにビームウエスト２６ａ、２７ａを有する。したがって、マスター記録層２２には、情報を有するホログラム２３と複製判別ホログラム２４が同じ大きさで形成される。
【００４５】
本実施形態におけるホログラム記録媒体１の形成について説明する。第１の実施形態同様、第１再生光１６のビームウエスト１６ａが中心となるようにマスターホログラム記録媒体２１とホログラム記録媒体１を配置する。また、マスターホログラム記録媒体２１とホログラム記録媒体１の間で第２再生光１７が通過する位置に第２媒質８を配置する。第１再生光１６が通過する位置には、第１媒質たる空気が存在している。第２媒質８は、この第１媒質とは異なる屈折率を有したものである。第２再生光１７は、第２媒質８を通過することによって、第１媒質を通過する場合に対して光路長が変化するため、記録層２における第１再生光１６と第２再生光１７のビーム径は互いに異なり、情報を有するホログラム３と複製判別ホログラム４は互いに異なる大きさで形成される。また、第２媒質８はホログラム記録媒体１と複製ホログラム記録媒体１１の配置に用いるスペーサ３３としての機能も有する。
【００４６】
図６に示すように、第２媒質８を配置することなく本実施形態におけるホログラム記録媒体１を複製し、複製ホログラム記録媒体１１を形成した場合、複製判別ホログラム４から発生する第２再生光７は、第１再生光６と異なる高さにビームウエスト７ａを有するため、複製記録層１２には複製判別ホログラム１４が記録層２に形成された大きさと異なる大きさで形成される。
【００４７】
したがって、複製物の記録層２に形成されている複製判別ホログラム４の大きさを調べることによって、不正な複製かどうかを容易に判別することができ、ホログラム記録媒体１の不正複製を防止することができる。また、本実施形態では、マスターホログラム記録媒体２１を形成する際に、ホログラム２３と複製判別ホログラム２４を同じ位置にビームウエスト２６ａ、２７ａを有する物体光２６、２７により形成することができるので、光学系を簡易にすることができる。
【００４８】
次に第３の実施形態について説明する。本実施形態におけるホログラム記録媒体１は第１又は第２の実施形態同様、マスターホログラム記録媒体２１によって複製されてなる。図７にマスターホログラム記録媒体２１の形成について示し、図8に本実施形態におけるホログラム記録媒体１の形成について示す。
【００４９】
マスターホログラム記録媒体２１のマスター記録層２２には、第１又は第２の実施形態同様、情報を有するホログラム２３と複製判別ホログラム２４が形成される。情報を有するホログラム２３は、図７に示すようにマスター記録層２２に対して所定の入射角度を有する第１物体光２６により形成される。また、複製判別ホログラム２４は、第１物体光２６と異なる入射角度を有する第２物体光２７により形成される。
【００５０】
本実施形態におけるホログラム記録媒体１の形成について説明する。図８に示すように、情報を有するホログラム２３からの第１再生光１６と、複製判別ホログラム２４からの第２再生光１７は、互いに出射角度が異なるため、記録層２には第２再生光１７により形成される複製判別ホログラム４は、マスター記録層２２に形成した位置と異なる位置に形成される。
【００５１】
図９に示すように、本実施形態におけるホログラム記録媒体１をさらに複製し、複製ホログラム記録媒体１１を形成した場合、情報を有するホログラム３からの第１再生光６と、複製判別ホログラム４からの第２再生光７は、それぞれ出射角度が異なり、複製ホログラム記録媒体１１の複製記録層１２には複製判別ホログラム１４が記録層２に形成された位置と異なる位置に形成される。
【００５２】
したがって、複製物の記録層２に形成されている複製判別ホログラム４の位置を調べることによって、不正な複製かどうかを容易に判別することができ、ホログラム記録媒体１の不正複製を防止することができる。
【００５３】
次に第４の実施形態について説明する。本実施形態におけるホログラム記録媒体１は、第１〜第３の実施形態と同様、マスターホログラム記録媒体２１により複製されてなる。図１０にマスターホログラム記録媒体２１の形成について示し、図１１に本実施形態におけるホログラム記録媒体１の形成について示す。ここで、マスターホログラム記録媒体２１は、本実施形態におけるホログラム記録媒体１より記録領域が平面方向に大きなものとする。
【００５４】
マスターホログラム記録媒体２１のマスター記録層２２には、図１０に示すように情報を有するホログラム２３と複製判別ホログラム２４が形成される。情報を有するホログラム２３は第３の実施形態と同様の第１物体光２６により形成される。また、複製判別ホログラム２４は、第１物体光２６と異なる角度を有して入射する第２物体光２７によって形成され、ホログラム記録媒体１の端部よりも外側の位置に設けられる。
【００５５】
図１１に示すように、複製判別ホログラム２４からの第２再生光１７は、ホログラム記録媒体１に対しては、記録層２の端部２ａより外側から入射する。したがって、本実施形態におけるホログラム記録媒体１の記録層２には、記録層２端部より外側から入射する第２再生光１７により複製判別ホログラム４が形成される。
【００５６】
図１２に示すように、本実施形態におけるホログラム記録媒体１をさらに複製し、複製ホログラム記録媒体１１を形成した場合、複製判別ホログラム４からの第２再生光７は、複製用ホログラム記録媒体１１の複製記録層１２の端部１２ａより外側を通過するため、複製記録層１２には複製判別ホログラムが形成されない。したがって、複製物の記録層２内の複製判別ホログラム４の有無を調べることによって、不正な複製かどうかを容易に判別することができ、ホログラム記録媒体１の不正複製を防止することができる。なお、この場合には複製ホログラム記録媒体１１からさらに複製を行っても、複製判別ホログラム４は形成されないので、複製を繰り返してもホログラム記録媒体１と同じ複製物は形成できない点で複製防止により効果的である。
【００５７】
次に第５の実施形態について説明する。本実施形態におけるホログラム記録媒体１は、第１〜第４の実施形態と同様、マスターホログラム記録媒体２１により複製されてなる。図１３にマスターホログラム記録媒体２１の形成について示し、図１４に本実施形態におけるホログラム記録媒体１の形成について示す。
【００５８】
マスターホログラム記録媒体２１のマスター記録層２２には、図１３に示すように情報を有するホログラム２３と複製判別ホログラム２４が形成される。情報を有するホログラム２３は第３又は第４の実施形態と同様の第１物体光２６により形成される。また、複製判別ホログラム２４は第１物体光２６とそれぞれ異なる角度を有して入射する複数の第２物体光２７、２７により多重形成される。図１４に示すように、参照光５の入射により複製判別ホログラム２４から発生する各第２再生光１７、１７は、ホログラム記録媒体１の記録層２の所定位置に集光し、複製判別ホログラム４が多重形成される。また、情報を有したホログラム３は、第１再生光１６と参照光５により形成される。
【００５９】
図１５に示すように、本実施形態におけるホログラム記録媒体１をさらに複製し、複製ホログラム記録媒体１１を形成した場合、複製判別ホログラム４から複数の第２再生光７、７が発生し、複製判別ホログラム１４、１４が複数形成される。したがって、複製物の記録層２に形成されている複製判別ホログラム４の数を調べることによって、不正な複製かどうかを容易に判別することができ、ホログラム記録媒体１の不正複製を防止することができる。
【００６０】
複製ホログラム記録媒体１１をさらに複製することによって、元のホログラム記録媒体１と全く同一のホログラム記録媒体を形成することができる。しかし、本実施形態におけるホログラム記録媒体１を複数回複製した場合、複製判別ホログラム４の回折強度は情報を有するホログラム３の回折強度と比べ低下するため、配置は同じであっても回折強度の低いものが形成される。したがって、情報を有するホログラム３と複製判別ホログラム４の回折強度比を調べることによって、不正な複製を判別することができる。
【００６１】
次に第６の実施形態について説明する。本実施形態におけるホログラム記録媒体１は、第１の実施形態と同様、マスターホログラム記録媒体２１により複製されてなる。図１６にマスターホログラム記録媒体２１の形成について示し、図１７に本実施形態におけるホログラム記録媒体１の形成について示す。
【００６２】
図１６に示すように、マスターホログラム記録媒体２１のマスター記録層２２には、情報を有するホログラム２３と複製判別ホログラム２４が、第１物体光２６と第２物体光２７を、参照光２５と対向する方向から入射させた反射型として形成される。本実施形態においては、物体光をマスターホログラム記録媒体２１の下側から入射することとした。すなわち、情報を有するホログラム２３は、ビームウエスト２６ａをマスター記録層２２より上方位置に有する第１物体光２６と、発光部３０から発光されレンズ３１により平行光とされた参照光２５により形成される。また、複製判別ホログラム２４は、第１物体光２６と異なる高さとなるマスター記録層２２内にビームウエスト２７ａを有する第２物体光２７と、情報を有するホログラム２３の形成に用いた参照光２５により形成される。
【００６３】
第１物体光２６と第２物体光２７は、第１の実施形態同様ビームウエストの高さが互いに異なるため、マスター記録層２２における第１物体光２６と第２物体光２７のビーム径は互いに異なり、情報を有するホログラム２３と複製判別ホログラム２４は互いに異なる大きさで形成される。また、図１７に示すように、情報を有するホログラム２３及び複製判別ホログラム２４は、参照光５を入射させることによって第１再生光１６及び第２再生光１７をそれぞれ上向きに発生する。
【００６４】
第１再生光１６と第２再生光１７はそれぞれ上向きに発生するため、本実施形態におけるホログラム記録媒体１を形成するには、第１再生光１６のビームウエスト１６ａの位置を中心として対称となる位置、すなわち、マスターホログラム記録媒体２１の上側にホログラム記録媒体１を配置する。そして、第１の実施形態同様、参照光５をマスターホログラム記録媒体２１及びホログラム記録媒体１の略全体に入射させると、第１再生光１６及び第２再生光１７がホログラム記録媒体１の記録層２で参照光５と干渉し、情報を有するホログラム３はマスター記録層２２に形成されたホログラム２３と同じ大きさで、複製判別ホログラム４はマスター記録層２２に形成されたホログラム２４とは異なる大きさで形成される。
【００６５】
図１８に示すように、本実施形態におけるホログラム記録媒体１を同様の方法で複製し複製ホログラム記録媒体１１を形成した場合、複製判別ホログラム４から発生する第２再生光７は、第１再生光６と異なる高さにビームウエスト７ａを有するため、複製ホログラム記録媒体１１の複製記録層１２には、複製判別ホログラム１４が記録層２に形成された大きさとは異なる大きさで形成される。
【００６６】
したがって、複製物の記録層２に形成されている複製判別ホログラム４の大きさを調べることによって、不正な複製かどうかを容易に判別することができ、ホログラム記録媒体１の不正複製を防止することができる。
【００６７】
本実施形態は、マスターホログラム記録媒体２１に形成されるホログラムを、物体光と参照光を対向する方向から入射させて形成する反射型のホログラムとして第１の実施形態に適用したものである。ただし、本発明の実施形態はこれに限られず、第２〜第５の実施形態にも同様に適用可能である。
【００６８】
以上、本発明の実施形態について説明したが、本発明の適用はこの実施形態には限られず、その技術的思想の範囲内において様々に適用されうるものである。例えば、本実施形態におけるホログラム記録媒体１の記録層２に形成される情報を有するホログラム３の数は、本実施形態に限られず、多数形成することができる。
【図面の簡単な説明】
【００６９】
【図１】本実施形態におけるホログラム記録媒体を形成するマスターホログラム記録媒体の形成について示した概念図である。
【図２】本実施形態におけるホログラム記録媒体の形成について示した概念図である。
【図３】本実施形態におけるホログラム記録媒体の複製について示した概念図である。
【図４】第２の実施形態におけるホログラム記録媒体を形成するマスターホログラム記録媒体の形成について示した概念図である。
【図５】第２の実施形態におけるホログラム記録媒体の形成について示した概念図である。
【図６】第２の実施形態におけるホログラム記録媒体の複製について示した概念図である。
【図７】第３の実施形態におけるホログラム記録媒体を形成するマスターホログラム記録媒体の形成について示した概念図である。
【図８】第３の実施形態におけるホログラム記録媒体の形成について示した概念図である。
【図９】第３の実施形態におけるホログラム記録媒体の複製について示した概念図である。
【図１０】第４の実施形態におけるホログラム記録媒体を形成するマスターホログラム記録媒体の形成について示した概念図である。
【図１１】第４の実施形態におけるホログラム記録媒体の形成について示した概念図である。
【図１２】第４の実施形態におけるホログラム記録媒体の複製について示した概念図である。
【図１３】第５の実施形態におけるホログラム記録媒体を形成するマスターホログラム記録媒体の形成について示した概念図である。
【図１４】第５の実施形態におけるホログラム記録媒体の形成について示した概念図である。
【図１５】第５の実施形態におけるホログラム記録媒体の複製について示した概念図である。
【図１６】第６の実施形態におけるホログラム記録媒体を形成するマスターホログラム記録媒体の形成について示した概念図である。
【図１７】第６の実施形態におけるホログラム記録媒体の形成について示した概念図である。
【図１８】第６の実施形態におけるホログラム記録媒体の複製について示した概念図である。
【図１９】従来の複製されるホログラム記録媒体の形成について示した概念図である。
【図２０】図１９に示すホログラム記録媒体の複製について示した概念図である。
【図２１】従来の複製されるホログラム記録媒体において反射型のホログラムを形成した場合について示した概念図である。
【図２２】図２１に示すホログラム記録媒体の複製について示した概念図である。
【符号の説明】
【００７０】
１    ホログラム記録媒体
２    記録層
３    ホログラム
４    複製判別ホログラム
５    参照光
６    第１再生光
６ａ  ビームウエスト
７    第２再生光
７ａ  ビームウエスト
８    第２媒質
１１    複製ホログラム記録媒体
１２    複製記録層
１２ａ  端部
１３    ホログラム
１４    複製判別ホログラム
１６    第１再生光
１６ａ  ビームウエスト
１７    第２再生光
１７ａ  ビームウエスト
２１    マスターホログラム記録媒体
２２    マスター記録層
２３    ホログラム
２４    複製判別ホログラム
２５    参照光
２６    第１物体光
２６ａ  ビームウエスト
２７    第２物体光
２７ａ  ビームウエスト
３０    発光部
３１    レンズ
３２    レンズ
３３    スペーサ
【図１】
2006106432.tif 000003
【図２】
2006106432.tif 000004
【図３】
2006106432.tif 000005
【図４】
2006106432.tif 000006
【図５】
2006106432.tif 000007
【図６】
2006106432.tif 000008
【図７】
2006106432.tif 000009
【図８】
2006106432.tif 000010
【図９】
2006106432.tif 000011
【図１０】
2006106432.tif 000012
【図１１】
2006106432.tif 000013
【図１２】
2006106432.tif 000014
【図１３】
2006106432.tif 000015
【図１４】
2006106432.tif 000016
【図１５】
2006106432.tif 000017
【図１６】
2006106432.tif 000018
【図１７】
2006106432.tif 000019
【図１８】
2006106432.tif 000020
【図１９】
2006106432.tif 000021
【図２０】
2006106432.tif 000022
【図２１】
2006106432.tif 000023
【図２２】
2006106432.tif 000024